(57)【要約】      （修正有）【課題】ご高齢者や障害者など歩行に困難を伴う人達でも、けつまづきにくく、歩行障害にならなず、さらに車椅子でもスムーズに運行させることができる、安心して使用することができるリフト用台座および介護用リフトを提供する。【解決手段】互いに嵌合して一枚の板状物を構成するリフト用台座であって、一方の台座は昇降用台座４であり、他方の台座が枠体で構成されたリフト装置支持用台座５であり、かつ、リフト用台座が、一枚の板状物の状態での厚さが２０ｍｍ以下である。また、介護用リフトは、かかるリフト用台座をリフト装置に取り付けたこととする。【選択図】図１０
2005231891.tif 000002
【特許請求の範囲】
【請求項１】
互いに嵌合して一枚の板状物を構成するリフト用台座であって、一方の台座は昇降用台座であり、他方の台座が枠体で構成されたリフト装置支持用台座であり、かつ、該リフト用台座が、該一枚の板状物の状態での厚さが２０ｍｍ以下であることを特徴とするリフト用台座。
【請求項２】
該昇降用台座が、内側に骨材で構成されてなる補強部を有し、かつ、該昇降用台座の周縁部が突出した縁部からなる器状板状物で構成されたものである請求項１に記載のリフト用台座。
【請求項３】
該昇降用台座とリフト装置支持用台座の嵌合の形態が、被覆構造および並列配置構造から選ばれた少なくとも１種である請求項１または２に記載のリフト用台座。
【請求項４】
該嵌合の形態が、該昇降用台座が、該リフト装置支持用台座を被覆して嵌合する被覆構造であり、かつ、該昇降用台座に設けられた該補強部は、該リフト装置支持用台座の枠体の内側に嵌合することを特徴とする請求項３に記載のリフト用台座。
【請求項５】
該嵌合の形態が、該リフト装置支持用台座の枠体が、該昇降用台座を囲むように、その外側に配置されてなる並列配置構造である請求項３に記載のリフト用台座。
【請求項６】
該昇降用台座および該補強部が、多角形状を有するものである請求項１〜５のいずれかに記載のリフト用台座。
【請求項７】
該補強部が、さらに補強構造を有するものである請求項１〜６のいずれかに記載のリフト用台座。
【請求項８】
該補強部を構成する骨材が、鋼材製である請求項１〜７のいずれかに記載のリフト用台座。
【請求項９】
該鋼材が、機械構造用炭素鋼製である請求項８に記載のリフト用台座。
【請求項１０】
該機械構造用炭素鋼が、Ｓ４５ＣおよびＳＣＭ３種から選ばれた少なくとも１種である請求項９に記載のリフト用台座。
【請求項１１】
請求項１〜１０のいずれかに記載のリフト用台座をリフト装置に取り付けたことを特徴とする介護用リフト。
【発明の詳細な説明】
【技術分野】  本発明は、歩行の不自由な人達でもけつまづきにくく、歩行障害にならない上に、車椅子もスムーズに運行させることができるリフト用台座および介護用リフトに関するものである。
【背景技術】  従来から、玄関リフト（特許文献１参照）を始め、各種の人体保護用リフトが開発されているが、リフト用台座そのものに関する技術については、いまだ実用的なものは見あたらない。
【特許文献１】特開平１１−１８９３９７号公報
【発明の開示】
【発明が解決しようとする課題】  本発明は、かかる従来リフトの実状に鑑み、ご高齢者や障害者など歩行に困難を伴う人達でも、けつまづきにくく、歩行障害にならなず、さらに車椅子でもスムーズに運行させることができる、安心して使用することができるリフト用台座および介護用リフトを提供せんとするものである。
【課題を解決するための手段】  本発明は、かかる課題を解決するために、つぎのような手段を採用するものである。すなわち、本発明のリフト用台座は、互いに嵌合して一枚の板状物を構成するリフト用台座であって、一方の台座は昇降用台座であり、他方の台座が枠体で構成されたリフト装置支持用台座であり、かつ、該リフト用台座が、該一枚の板状物の状態での厚さが２０ｍｍ以下であることを特徴とするものである。また、本発明の介護用リフトは、かかるリフト用台座をリフト装置に取り付けたことを特徴とするものである。
【発明の効果】  本発明によれば、歩行の不自由な人達でも、けつまづくことなく、歩行障害にもならない、安心して使用することができる介護用リフトを提供することができる。
【発明を実施するための最良の形態】  本発明は、かかる課題、つまりけつまづくことなく、歩行障害にならない安心して使用することができるリフト用台座について、鋭意検討し、リフト用台座として、互いに嵌合合体して一枚の板状物を構成するリフト用台座とし、その全体の厚さを２０ｍｍ以下に制御してみたところ、かかる課題を一挙に解決することを究明したものである。
すなわち、本発明のリフト用台座は、高齢者の居住政策として平成１３年４月６日に定められた基本方針の第３編に定められた段差の上限として２ｃｍが規定されていることに鑑み、前記厚さを２０ｍｍ以下と制限したものである。かかる厚さ、つまり段差を２０ｍｍ以下としたことにより、けつまづきにくく、歩行障害にならなず、安心して使用することができるという効果を奏するリフト用台座を実現することができたものである。
すなわち、歩行の不自由な人達は、健常者に比して足のきびすを上げにくいために、段差部分が大きな障害物となり、それを乗り越えられず、その先に進行できないのが通常である。また、車椅子で移動する人達も、腕力の強い人や強力な動力を搭載した車椅子の場合は別にして、やはり段差部分が同様に大きな障害物となり、それを乗り越えて進行するのに四苦八苦しているのが実状である。
本発明のリフト用台座の特徴は、台座全体の厚さを２０ｍｍ以下、好ましくは１５〜２０ｍｍ、特に好ましくは１７．５〜２０ｍｍという薄い板状物に構成した点にあるが、さらに好ましくはかかる台座の周縁部をテーパー状にしたり、テーパー状縁部を付加することにより、歩行や移動が簡単、スムーズにするという優れた効果を達成することができる。
本発明のリフト用台座は、昇降用台座とリフト装置支持用台座との２種の台座で構成されている。これらの台座は、互いに嵌合して一枚の板状物を構成するものである。
すなわち、かかる昇降用台座とリフト装置支持用台座の嵌合の形態が、被覆構造や並列配置構造、さらにはこれらの併用の構造であれば、一枚の板状物を構成することができるのである。たとえば該嵌合の形態が、該昇降用台座が該リフト装置支持用台座を被覆して嵌合する被覆構造である場合は、該昇降用台座に設けられた該補強部は該リフト装置支持用台座の枠体の内側に嵌合する構造となるし、一方、該嵌合の形態が、該リフト装置支持用台座の枠体が該昇降用台座を囲むように、その外側に配置される並列配置構造である場合は、該リフト装置支持用台座の枠体が該昇降用台座の外側に並列に配置されているので、該昇降用台座やその内側の補強部に何ら制約を付加する必要がないと言う利点がある。
以下、本発明のリフト用台座を、該嵌合の形態が被覆構造である例に代表させて説明する。
本発明のリフト用台座の嵌合の形態が被覆構造である場合は、昇降用台座４が、被覆サイドの台座で、被被覆サイドの台座はリフト装置支持用台座５である。
かかる昇降用台座４として、本発明では器状の鋼板構造を採用する。すなわち、従来のリフト用台座は、それぞれ個々別々に作られて、２重積層する形で積み重ねて実用されていたものである。このような２重積層構造のものでは、段差が大きくなるばかりで、とても段差の高さ（台座厚さ）２０ｍｍ以下という条件を達成することができるものを、実用的な特性を満足させながら作ることはできるものではない。
本発明者は、この点について、鋭意検討し、２つの台座を一体化して一枚の板状物を構成する構造を有するもので、最も強度や硬さを満足するものについて検討し、２つの台座を互いに嵌合させる構造とすることで、段差規定と要求強度という、互いに相反する問題のハードルをクリアーすることに成功したものである。
以下、かかるリフト用台座の１例について、それぞれリフトに取り付けた形で、図１〜６により説明する。図１〜３は、昇降用台座４の説明であり、図４〜６は、リフト装置支持用台座５の説明である。
まず、図１は、昇降用台座４の側面断面図、図２はその平面断面図、図３は正面断面図である。図４は、リフト装置支持用台座５の側面断面図、図５はその平面断面図、図６は正面断面図である。
すなわち、リフト装置支持用台座５は、リフト装置を支持するためのものであるが、昇降用台座４では、人体を乗せて昇降させるものであるから、その荷重に耐え得る強度を有することが要求されるものである。そのために創造された構造が、すなわち、図１から明らかなように、該昇降用台座４の周辺部に、折り曲げられて形成された突出した縁部４０１を有する構造である。この縁部４０１の長さが、該リフト用台座の全体の厚さを規制するものであり、かつ、該昇降用台座４の強度を付与する補強機能を併せもつ構造なのである。この縁部４０１の内側に、さらに補強する意味で、さらに補強縁部（図示せず）を付け加えてもよい。その場合、必要ならこれら２つの縁部の空隙部に昇降センサーを埋め込んでおけば、安定した昇降操作ができるので好ましい。
この昇降用台座４は、材質には特に限定されないが、強度的な要求から鉄板などの鋼材で構成するのが好ましい。かかる鋼材としては、表面は一般構造用圧延鋼（たとえばＳＳ４００）板でもよいが、骨材は、さらに剛性および強度に優れた機械構造用炭素鋼である、たとえばＳ４５ＣおよびＳＣＭ３種から選ばれた少なくとも１種などが好ましく使用される。なお、かかる補強用骨材として、該鋼材からなる扁平な管状体としたものは、さらに剛性および強度を改善することができるので、好ましく使用される。
かかる昇降用台座４には、さらにその内側に骨材で構成された補強部４１が設けられている。この補強部４１は、該昇降用台座４が受ける人体の荷重などの垂直方向の荷重を支えるために設けられた構造である。ただし、この補強部４１は、嵌合の形態が被覆構造である場合は、リフト装置支持用台座５の枠体内に嵌合する大きさに構成されているものであることが重要である。
この補強部４１は、人体の荷重などの垂直方向の荷重を支える機能を発揮するものであれば、如何なる構造でもよく、たとえば円形状や多角形状を有するものなどでもよいが、中でも多角形状が機能的、装飾的な意味から好ましく採用される。なお、かかる補強部４１には、さらに補強するための補強構造を付加することは好ましいことである。補強部４１の具体的な構造は、図１〜３に示したもの以外に各種の構造、形状の補強構造のものを使用することができる。かかる補強部４１は、該昇降用台座４台座４と同様にスライダー２の下部に直接溶接固定されているものである。
この補強部４１を構成する材料は、前記昇降用台座４で使用した骨材に使用した鋼材である、つまり機械構造用炭素鋼（たとえばＳ４５ＣおよびＳＣＭ３種など）が好ましく使用される。すなわち、かかる鋼材からなる鋼板を細く裁断したものを骨材として使用するものである。特に好ましくはかかる鋼板に通常の焼き入れをして、強度や硬度をさらに高くしたものを使用するのが好ましく、たとえばＳ４５Ｃならば、焼き入れ後の硬度２５〜２８であるものや、ＳＣＭ３種では、焼き入れ後の硬度２８〜３５であるものが、骨材として好ましく使用される。
次に、リフト装置支持用台座５について、図４〜６により説明する。この台座は、上述の被覆サイドの台座である昇降用台座４に被覆されて、この台座の内側に被覆され、かつ、嵌合合体して一体化される被被覆サイドの台座である。この台座は、名前の通り、リフト装置を支持するためだけの台座である。これらの機能条件を全て満足する台座構造として、創造されたものが枠体構造である。かかる枠体構造を採用したことにより、該被覆構造体である昇降用台座４およびその内側の補強部４１と、互いに嵌合合体させることができ、その結果、一枚の板状物を構成させることができる上に、軽量化を実現したものである。
このリフト装置支持用台座５は、図４〜６から明らかなように、支柱１に直接固定されているものである。また、該昇降用台座４に被覆されるものであるから、その大きさは、該昇降用台座４より小さいものであるが、該昇降用台座の補強部４１よりも大きい形状、構造を有する枠体で構成されているものである。ここで重要なことは、このリフト装置支持用台座５は、被覆される関係から、該昇降用台座４の厚さを考慮に入れて、それよりも薄い厚さの材料で構成されなければならない点である。つまり、嵌合合体後の一枚の板状物での厚さが２０ｍｍ以下であるから、該昇降用台座４の厚さ分だけ、さらに薄く構成する必要がある。したがって、このリフト装置支持用台座５にも、強くて硬い鋼材からなる鋼板が採用される。つまり、前記昇降用台座の補強部４１で使用した骨材のような材料が好ましく使用される。すなわち、たとえばＳ４５ＣやＳＣＭ３種、さらにはその焼き入れ後の高硬度のものが好ましく使用される。もちろん、かかる台座５を構成する骨材として、前記補強部４１と同様に、該鋼材からなる扁平な管状体としたものが、剛性および強度をさらに改善することができるので、好ましく使用される。
かかるリフト装置支持用台座５の枠体の形状は、該昇降用台座４や該補強部４１と嵌合合体することができればよく、別に図４〜６に示されたものに限定されない。すなわち、たとえば多角形状や円形状でもよいが、多角形状のものが装飾的な意味から好ましく採用される。
以上、本発明のリフト用台座について、該リフト装置支持用台座５が、該昇降用台座４や該補強部４１と嵌合合体する構造として、該昇降用台座４や該補強部４１が、該リフト装置支持用台座５を被覆する構造について説明したが、別の構造として、該リフト装置支持用台座５が、該昇降用台座４や該補強部４１の外側に配置した構造、つまり、該昇降用台座４や該補強部４１が該リフト装置支持用台座５の枠体の内側に嵌め込まれる形の構造でも、本発明の効果は奏されるものである。もちろん、将来、剛性と強度などの特性の優れた鋼材が開発されて、積層体にしても、総合厚さを２０ｍｍ以下に制御できるならば、かかる積層構造の台座を使用することもできる。
本発明のかかるリフト用台座は、通常の玄関リフトやその他の居住手段に採用される介護用リフトはもとより、各種リフト装置に取り付けて使用することができるものである。
本発明のリフト用台座を用いて構成された介護用リフトを図面により、さらに説明する。
図７〜１０は、本発明の介護用リフトの１例を示したものである。
つまり、図７は、本発明の介護用リフトの正面断面図で、図８は、その正面断面図、図９は、その側面外観図、図１０は、その側面断面図である。
このリフトは、支柱１とスライダー２、手すり３、それに昇降用台座４、リフト装置支持用台座５とからなる。リフト装置支持用台座５は、支柱１の最下部の端部で、リフト全体を支えるために溶接固定されている。昇降用台座４は、支柱１の中を上下するスライダー２に固定されており、このスライダー２の頂部はスライダー支持アーム７に溶接接合されている。スライダー支持アーム７は、アクチュエータ用ケーシング８の下部に溶接固定されおり、このアクチュエータ用ケーシング８は、昇降するアクチュエーター６に固定されている。つまり、スライダー２は、アクチュエータ用ケーシング８を介してアクチュエータ６に固定されているのである。したがって、アクチュエータ用ケーシング８も昇降用台座４も、アクチュエータ６の動きに連動して上下に作動するものである。この昇降用台座４は、リフト装置支持用台座５を被覆し、互いに嵌合して一枚の板状物を構成する構造を有するものである。なお、アクチュエータ６は、コントローラ（アクチュエータ用配電盤）９により制御されている。
【実施例】  次に、実施例を挙げて、本発明を更に詳細に説明する。
実施例１
図１の矩形状のリフト用台座を作った。
まず、昇降用台座４を、厚さ２．３ｍｍの鉄板（一般構造用圧延鋼：ＳＣＭ３種）を用いて、横幅４００ｍｍ、縦長さ３８０ｍｍの台座表面積を有する厚さ２０ｍｍのお盆形の板構造物を作った。その内側に同じ材料からなる１７．７ｍｍ幅のテープ状鉄板を、５ｍｍ間隔を開けて溶接した。
次に、この昇降用台座４を補強するための補強部４１を、厚さ９ｍｍの鋼材（機械構造用炭素鋼：Ｓ４５Ｃ）からなる鋼板を、幅１７．７ｍｍに切り取って、長方形断面の角材状にして、補強用骨材を作った。その骨材の長さは、３５０ｍｍのものと２７０ｍｍのものを、それぞれ２本ずつ用意し、これらを図１のように溶接して、昇降用台座４を補強した。
次に、リフト装置支持用台座５を、厚さ１７ｍｍの鉄板（機械構造用炭素鋼：ＳＣＭ３種）を用いて、外横幅３８０ｍｍ、外縦長さ３６０ｍｍで、内側の幅９２ｍｍ、縦長さ３６０ｍｍの枠体を切り取って作成した。
このリフト装置支持用台座５を支柱１に直接溶接して固定し、前記昇降用台座４をスライダーガイド８に取り付けて、介護用リフトを作った。
その結果、このリフト用台座は、昇降用台座４がリフト装置支持用台座５をキッチリ嵌合して、一枚の板状を呈し、その厚さが２０ｍｍであった。
このリフト用台座を持ち手構成された介護用リフトは、床から２０ｍｍの段差はあるものの、歩行の不自由な人達や車椅子で移動する人達にも、何ら障害なく、普通に乗り越えて、バリヤフリーに通行することができるものであった。
【図面の簡単な説明】
【図１】この図は、本発明のリフト用台座に用いる昇降用台座の一例を示す側面断面図である。
【図２】この図は、図１の平面断面図である。
【図３】この図は、図１の正面断面図である。
【図４】この図は、本発明のリフト用台座に用いるリフト装置支持用台座の一例を示す側面断面図である。
【図５】この図は、図４の平面断面図である。
【図６】この図は、図４の正面断面図である。
【図７】この図は、本発明のリフト用台座を用いてなる介護用リフトの一例を示す正面外観図である。
【図８】この図は、図７の正面断面図である。
【図９】この図は、図７の側面外観図である。
【図１０】この図は、図７の側面断面図である。
【符号の説明】
１：支柱
２：スライダー
３：手すり
４：昇降用台座
４１：補強部
４０１：昇降用台座の縁部
５：リフト装置支持用台座
６：アクチュエータ
７：スライダー支持アーム
８：アクチュエータ用ケーシング
９：コントローラ
【図１】
2005231891.tif 000003
【図２】
2005231891.tif 000004
【図３】
2005231891.tif 000005
【図４】
2005231891.tif 000006
【図５】
2005231891.tif 000007
【図６】
2005231891.tif 000008
【図７】
2005231891.tif 000009
【図８】
2005231891.tif 000010
【図９】
2005231891.tif 000011
【図１０】
2005231891.tif 000012